(57)【要約】【課題】シンクの下方にディスポーザを備えるシンク台であって、シンクの下方のスペースに収納された物品がディスポーザに直接接触しないシンク台を提供する。【解決手段】シンク３と、シンク３の下方に固定されたディスポーザ４を備えるシンク台において、ディスポーザ４のシンク３の下方にある部位の側面を覆うカバー５を備える。カバー５は、ディスポーザ４の底面の全体を覆う底板部５ｃと、底板部５ｃの周縁から立ち上がって、底板部５ｃの周縁の全周を水密に取り囲む囲壁部５ｄを備える。【選択図】図２
2019010600.tif 000002
【特許請求の範囲】
【請求項１】
シンクと、
前記シンクの下方に固定されたディスポーザを備えるシンク台において、
前記ディスポーザの前記シンクの下方にある部位の側面を覆うカバーを備える、
シンク台。
【請求項２】
前記カバーは、
前記ディスポーザの底面の全体を覆う底板部と、
前記底板部の周縁から立ち上がって、前記底板部の周縁の全周を水密に取り囲む囲壁部を備えることを特徴とする、
請求項１に記載のシンク台。
【請求項３】
前記シンクを支持するキャビネットと、
前記キャビネットに進退自在に取り付けられた引き出しを備えるとともに、
前記カバーは、
前記ディスポーザの側面の前記引き出しと対面する部位を覆うことを特徴とする、
請求項１に記載のシンク台。
【請求項４】
前記カバーは、
前記ディスポーザの側面を覆う側壁部と、
前記ディスポーザの底面の全体を覆う水受け部を備えることを特徴とする、
請求項１に記載のシンク台。
【請求項５】
ディスポーザと共にシンクの下面に固定されて、前記ディスポーザの前記シンクの下方にある部位の側面を覆う、
カバー。
【請求項６】
前記ディスポーザの底面の全体を覆う底板部と、
前記底板部の周縁から立ち上がって、前記底板部の周縁の全周を水密に取り囲む囲壁部を備えることを特徴とする、
請求項５に記載のカバー。
【請求項７】
前記ディスポーザの側面を覆う側壁部と、
前記ディスポーザの底面の全体を覆う水受け部を備えることを特徴とする、
請求項５に記載のカバー。
【発明の詳細な説明】
【技術分野】
【０００１】
本発明は、ディスポーザを備えるシンク台、及びシンク台に取り付けられたディスポーザを覆うカバーに関する。
【背景技術】
【０００２】
例えば、特許文献１に記載されているように、ディスポーザは、シンクの下方に固定されて、シンクから投入される厨芥を破砕し、水と混合して排出する装置である。シンクはシンク台に固定されて、シンク台のシンクの下のスペースは、厨房で使用される各種の物品の収納スペースとしても使用される。
【０００３】
特許文献２に記載のキッチンキャビネットは、シンク台の一種であって、キャビネットの上部にシンクが固定されていて、シンクの下方にはディスポーザが固定されている。キャビネットの内部の空間は、ディスポーザ等の設備が集中配置される設備領域と、用途に応じて利用自在な多機能領域に分割されている。多機能領域は収納スペースとして使用される。
【０００４】
特許文献３に記載のシステムキッチンも、シンク台の一種であって、キャビネットの上部にシンクが固定されていて、シンクの下方にはディスポーザが固定されている。また、キャビネットは、前後方向に出し入れ自在に収納される引き出しを備えている。そして、キャビネット内に収納された時に引き出しがディスポーザと干渉しないように、引き出しの後端部を前方側に切り欠いて凹部を形成している。このように、特許文献３に記載のシステムキッチンにおいても、シンクの下方の、ディスポーザとの干渉が生じない領域を収納スペースとして使用することができる。
【先行技術文献】
【特許文献】
【０００５】
【特許文献１】特開２０１０−１９０００７号公報
【特許文献２】特開２００４−５７４０３号公報
【特許文献３】特開２０１０−１４８５６８号公報
【発明の概要】
【発明が解決しようとする課題】
【０００６】
シンク台のシンクの下方の空間に収納される物品の多くは、例えば調理器具等のような厨房で使用される物品である。調理器具等がディスポーザの外面に直接触れたとしても衛生上の問題は特に生じない。しかしながら、厨芥を含む排水を処理するディスポーザに調理器具等が直接触れることについては、心理的な抵抗があって、ユーザには好まれないという問題がある。特許文献２，３に記載の発明に依れば、キッチンキャビネットのシンクの下方の空間を、ディスポーザが配置されるスペースと物品が収納されるスペースに分割することによって、ユーザの嫌悪感を緩和している。
【０００７】
しかしながら、ディスポーザに調理器具等が直接触れることを避けるためには、ディスポーザが配置されるスペースと物品が収納されるスペースを物理的に離隔する必要がある。ディスポーザと調理器具等の接触をさらに確実に回避するためには、ディスポーザが配置されるスペースと物品が収納されるスペースの間に緩衝領域を配置する必要がある。その結果、特許文献２，３に記載の発明においては、シンク台のシンクの下方において、物品の収納に利用できるスペースが限定されるという問題がある。
【０００８】
本発明は、このような事情に鑑みてなされたものであり、シンクの下方にディスポーザを備えるシンク台であって、シンクの下方のスペースに収納された物品がディスポーザに直接接触しないシンク台を提供するものである。
【課題を解決するための手段】
【０００９】
上記課題を解決するために、本発明に係るシンク台は、シンクと、シンクの下方に固定されたディスポーザを備えるシンク台において、ディスポーザのシンクの下方にある部位の側面を覆うカバーを備えるものである。
【００１０】
カバーは、ディスポーザの底面の全体を覆う底板部と、底板部の周縁から立ち上がって、底板部の周縁の全周を水密に取り囲む囲壁部を備えるようにしても良い。
【００１１】
シンク台は、シンクを支持するキャビネットと、キャビネットに進退自在に取り付けられた引き出しを備えるとともに、カバーは、ディスポーザの側面の引き出しと対面する部位を覆うものであっても良い。 
【００１２】
カバーは、ディスポーザの側面を覆う側壁部と、ディスポーザの底面の全体を覆う水受け部を備えるようにしても良い。
【００１３】
本発明に係るカバーは、ディスポーザと共にシンクの下面に固定されて、ディスポーザのシンクの下方にある部位の側面を覆うものである。
【００１４】
カバーは、ディスポーザの底面の全体を覆う底板部と、底板部の周縁から立ち上がって、底板部の周縁の全周を水密に取り囲む囲壁部を備えるものであっても良い。
【００１５】
カバーは、ディスポーザの側面を覆う側壁部と、ディスポーザの底面の全体を覆う水受け部を備えるものであっても良い。
【発明の効果】
【００１６】
本発明に係るシンク台は、ディスポーザのシンクの下方にある部位の側面がカバーで覆われているので、シンク下のスペースに収納された物品がディスポーザに直接触れることがない。そのため、シンクの下方において、ディスポーザが配置されるスペースと物品が収納されるスペースを物理的に離隔する必要が無いので、シンク下方の物品を収納するスペースを拡大することができる。また、シンク下方のスペースに収納された物品がディスポーザに直接衝突することがないので、衝突に起因するディスポーザや物品の損傷の発生が抑制される。
【図面の簡単な説明】
【００１７】
【図１】本発明の実施形態に係るシンク台の構成図である。
【図２】図１に記載のシンクとカバーを断面図示して、シンクとディスポーザとカバーの詳細な構成を示す図である。
【図３】本発明の第２の実施形態に係るシンク台の構成図である。
【図４】（Ａ）は本発明の第３の実施形態に係るシンク台の構成図であり、（Ｂ）はシンク台が備えるカバーの水受け部の形状を示す断面図である。
【発明を実施するための形態】
【００１８】
以下、本発明を実施するための形態を、図面を参照しながら説明する。
【００１９】
（第１の実施形態）
図１は、本発明の第１の実施形態に係るシンク台１の構成図である。シンク台１は家庭の厨房設備の一種であって、キャビネット２の上部にシンク３を固定して構成されている。また、シンク３の下方にはディスポーザ４が配置されていて、ディスポーザ４はシンク３に固定されている。また、ディスポーザ４はカバー５で覆われていて、カバー５もシンク３に固定されている。
【００２０】
キャビネット２は、図示しない厨房の床に固定されて、シンク３を支持する筐体である。キャビネット２の内部の空間は、厨房で使用される各種の物品を収納する収納スペースとして使用される。キャビネット２は、物品を出し入れするための図示しない開口と、開口を開閉する扉を備えている。
【００２１】
シンク３は、食材や食器の洗浄を行う水槽である。シンク台１は上水を供給する図示しない水栓金具を備えている。水栓金具から供給される上水は、食材や食器の洗浄に使用される。食材や食器の洗浄に使用された上水は、シンク３に落とされて、ディスポーザ４を通って、外部に排出される。
【００２２】
ディスポーザ４は、食材の下処理の過程で生じた残材や、食卓から下げられた食器に残っていた残飯、つまり厨芥を粉砕して、水と混合してスラリーを生成する装置である。ディスポーザ４で生成されたスラリーは、排水管６を通って、下水道等に排出される。厨芥を含まない排水も、ディスポーザ４と排水管６を通って、下水道等に排出される。
【００２３】
カバー５は、シンク３に固定されて、ディスポーザ４のシンク３の下方にある部位を覆う透明なプラスチック製のカップ状の部材である。図１に示すように、ディスポーザ４のほぼ全体がカバー５で覆われているので、キャビネット２の中に収納される図示しない物品がディスポーザ４に直接触れることがない。そのため、ユーザにおいて、物品がディスポーザ４に直接触れることに起因する心理的嫌悪感が生じない。物品がディスポーザ４に直接、衝突することがないので、衝突によって物品あるいはディスポーザ４に傷が付くことがない。また、物品とディスポーザ４の接触を避けるために、物品の収納スペースをディスポーザ４から離隔する必要がない。あるいは、物品の収納スペースとディスポーザ４の間に緩衝領域を配置する必要がない。そのため、キャビネット２の中において、物品の収納スペースを広く確保することができる。
【００２４】
図２は、シンク３とカバー５を断面図示して、シンク３とディスポーザ４とカバー５の詳細な構成を示す図である。図２に示すように、ディスポーザ４は、ディスポーザ本体４ａとフランジナット４ｂとシンクフランジ４ｃを備えている。フランジナット４ｂは、ディスポーザ本体４ａに、中心軸Ｃｘ回りに回動自在に取り付けられたリング状の部材であって、リングの内側に図示しない雌ネジが形成されている。シンクフランジ４ｃは、外周にフランジナット４ｂに形成された雌ネジと螺合する雄ネジが形成されたリング状の部材である。シンク３にはディスポーザ４に排水と厨芥を流し落とす排水孔３ａが開けられている。ディスポーザ本体４ａとフランジナット４ｂは排水孔３ａの直下に配置される。シンクフランジ４ｃは、シンク３の上方から排水孔３ａに差し入れられてフランジナット４ｂと螺合される。つまり、シンクフランジ４ｃとフランジナット４ｂは、間にシンク３を挟んで互いに螺合される。シンクフランジ４ｃをフランジナット４ｂに緊結させることによって、ディスポーザ４はシンク３に固定される。なお、シンクフランジ４ｃとシンク３の間には図示しないシール材が挟まれていて、シンクフランジ４ｃとシンク３の間の隙間からの漏水を防止している。
【００２５】
図２に示すように、カバー５はカバー本体５ａとサポート部材５ｂを備えている。カバー本体５ａは、ディスポーザ４のシンク３の下方にある部分のほぼ全体を覆う、カップ状の部材であって、ディスポーザ４の底面の全体を覆う底板部５ｃと、底板部５ｃの周縁から立ち上がって、底板部５ｃの周縁の全周を水密に取り囲む囲壁部５ｄを備えている。囲壁部５ｄの一部には開口５ｅが形成されている。ディスポーザ４の排出管４ｄと電源ケーブル４ｅは開口５ｅを通ってカバー本体５ａの外部に引き出される。
【００２６】
サポート部材５ｂは、シンクフランジ４ｃが挿通される挿通孔５ｆを備えるリング状の部材である。図２に示すように、サポート部材５ｂはシンク３とフランジナット４ｂの間に挟まれてシンク３に固定される。また、カバー本体５ａの囲壁部５ｄの上端部はサポート部材５ｂを取り囲んでいて、囲壁部５ｄはネジ５ｇによってサポート部材５ｂに固定されている。また、サポート部材５ｂには水抜き孔５ｈが形成されている。シンクフランジ４ｃとシンク３の当接面において水漏れが生じた場合に、水漏れに起因する漏水は、水抜き孔５ｈを通ってカバー本体５ａの内部に導かれる。
【００２７】
前述したように、底板部５ｃは囲壁部５ｄによって水密に取り囲まれているので、カバー本体５ａは全体として、カップ状の容器を構成している。そのため、万一、シンクフランジ４ｃとシンク３の間のシールが劣化して、シンクフランジ４ｃとシンク３の間から漏水が染み出ることがあっても、漏水はカバー本体５ａの中に留まり、キャビネット２の内部に拡がることがない。そのため、万一、漏水が生じることがあっても、キャビネット２の内部が汚れることがない。また、カバー本体５ａは透明な樹脂材料で形成されているので、カバー本体５ａの内部に漏水が溜まった場合に、外部から漏水を視認できる。そのため、漏水の発生を早期に知って、修理等を行うことができる。なお、図２に示すように、開口５ｅは底板部５ｃから離隔した高い位置にある。そのため、万一、漏水が生じても、漏水が開口５ｅを超えて溢れ出すまでには時間的な余裕がある。
【００２８】
上記の第１の実施形態によれば、ディスポーザ４のシンク３の下方にある部位のほぼ全体をカバー５で覆っているので、キャビネット２の内部に、調理器具や食材を収納する場合の心理的な抵抗が軽減される。また、調理器具や食材を収納するスペースをディスポーザ４から離隔する必要がないので、収納スペースを拡大することができる。また、カバー本体５ａに、ディスポーザ４の底面の全体を覆う底板部５ｃと、底板部５ｃの周縁から立ち上がって、底板部５ｃの周縁の全周を水密に取り囲む囲壁部５ｄを備えて、全体としてカップ状の水密容器を構成しているので、万一、シンク３から漏水が生じても、カバー本体５ａの内部に漏水を留めることができる。また、カバー本体５ａは透明樹脂で構成されているので、漏水の発生を早期に知ることができる。
【００２９】
（第２の実施形態）
第１の実施形態においては、カバー５がディスポーザ４の底面の全体を覆う底板部５ｃと、底板部５ｃの周縁から立ち上がって、底板部５ｃの周縁の全周を水密に取り囲む囲壁部５ｄを備える例を示した。つまり、第１の実施形態においては、カバー５がディスポーザ４のシンク３の下方にある部位のほぼ全体を覆う例を示した。しかしながら、カバー５は、このように構成されたものには限定されない。カバー５はディスポーザ４のシンク３の下方にある部位の一部を覆うものであっても良い。カバー５は、底板部５ｃを備えていなくても良い。カバー５はディスポーザ４の側面の一部又は全部を覆うものであっても良い。
【００３０】
図３は、本発明の第２の実施形態に係るシンク台１の構成図である。図３に示すように、第２の実施形態に係るシンク台１は引き出し７を備えている。図３においては、引き出し７がキャビネット２に差し込まれた状態を実線で描き、引き出し７がキャビネット２から抜き出された状態を鎖線で描いている。つまり、引き出し７は、図３において実線で描かれた位置と破線で描かれた位置の間で移動して、キャビネット２に対して抜き差しされる。
【００３１】
また、図３に示すように、カバー５は側壁部５ｉを備えていて、側壁部５ｉは、シンク３の下方において、ディスポーザ４の側面の引き出し７と対面する部位を覆っている。そのため、ディスポーザ４は、側壁部５ｉによって、引き出し７に対して保護される。例えば、引き出し７が乱暴に扱われて、引き出し７がディスポーザ４に向かって押し込まれても、引き出し７あるいは引き出し７に収容された物品が、ディスポーザ４に直接接触することがない。
【００３２】
（第３の実施形態）
第２の実施形態においては、カバー５が、ディスポーザ４のシンク３の下方にある部位の側面の一部を覆う側壁部５ｉのみを備える例を示した。つまり、カバー５がディスポーザ４の側面の一部のみを覆う例を示したが、カバー５はこのようなものには限定されない。カバー５に、側壁部５ｉに加えて、ディスポーザ４の下方においてディスポーザ４の底面を覆う部材を備えるようにしても良い
【００３３】
図４（Ａ）は、本発明の第３の実施形態に係るシンク台１の構成図である。図４（Ａ）に示すように、第２の実施形態に係るシンク台１は、側壁部５ｉに加えて、ディスポーザ４の下方に配置されて、ディスポーザ４の底面の全体を覆う水受け部５ｊを備えている。水受け部５ｊは深皿状態の容器であって、図４（Ｂ）に示すように、底板５ｋと底板５ｋの周縁から立ち上がって、底板５ｋの全周を取り囲む堰状部５ｌを備えている。そのため、水受け部５ｊは、ディスポーザ４とシンク３の接合部から漏水が生じた場合に、漏水を一時的に貯留する容器として機能する。
【００３４】
以上、説明したように、第１〜３の各実施形態によれば、ディスポーザ４のシンク３の下方にある部位の少なくとも一部をカバー５で覆うので、キャビネット２の内部に、調理器具や食材を収納する場合の心理的な抵抗が軽減される。また、調理器具や食材を収納するスペースをディスポーザ４から離隔する必要がないので、キャビネット２の内部の収納スペースを拡大することができる。
【００３５】
なお、第１〜３の各実施形態は、本発明の具体的実施態様の一例を示すものであって、本発明の技術的範囲を画すものではない。本発明は特許請求の範囲に記述された技術的思想の限りにおいて、自由に変形、応用あるいは改良して実施することができる。
【００３６】
図１に示した、シンク台１の形状と構成は、本発明の具体的な実施形態の例示である。したがって、本発明の技術的範囲は、図１に示されたディスポーザ４の形状と構成によっては限定されない。シンク台１はキャビネット２を備えるものには限定されない。つまり、シンク台１において、シンク３を支持する部材はキャビネット２には限定されない。シンク台１がキャビネット２を備える場合、キャビネット２は、引き出し７や扉を備えるものには限定されない。また、第１の実施形態において、食材や食器の洗浄に使用される上水を供給する図示しない水栓金具をシンク台１に備える例を示したが、水栓金具はシンク台１の必須の構成要素ではない。水栓金具はシンク台１に固定されていても良いし、シンク台１から物理的に分離されていても良い。
【００３７】
図１〜４に示したディスポーザ４とカバー５の形状と構成は、本発明の具体的な実施形態の例示である。本発明の技術的範囲は、図１〜４に示されたディスポーザ４とカバー５の形状と構成によっては限定されない。ディスポーザ４はフランジナット４ｂを備えるものには限定されないし、ディスポーザ４をシンク３に固定する手段は、フランジナット４ｂとシンクフランジ４ｃの組合せには限定されない。カバー５は、サポート部材５ｂを備えるものには限定されない。カバー本体５ａがシンク３に直接固定されるようにしても良い。カバー５がサポート部材５ｂを備える場合、サポート部材５ｂはシンク３とフランジナット４ｂに挟まれて、シンク３に固定されるものには限定されない。シンク３にサポート部材５ｂを取り付けるタブを固定して、該タブにサポート部材５ｂを結合するようにしても良い。また、カバー本体５ａをサポート部材５ｂに固定する手段はネジ５ｇには限定されない。カバー本体５ａをサポート部材５ｂに嵌合させて、カバー本体５ａ自身の弾性で、カバー本体５ａがサポート部材５ｂに固定されるようにしても良い。
【００３８】
ディスポーザ４のシンク３の側面の、側壁部５ｉによって覆われる位置と範囲は、第２及び第３の実施形態に例示されたものには限定されない。側壁部５ｉはディスポーザ４のシンク３の側面の引き出し７と対面する部位を覆うものには限定されない。側壁部５ｉは任意の位置に配置されて、ディスポーザ４の側面の任意の範囲を覆うように構成することができる。側壁部５ｉはディスポーザ４の側面の少なくとも一部を覆うことができれば良い。側壁部５ｉはディスポーザ４の側面の全範囲を覆うものであっても良い。例えば、側壁部５ｉはディスポーザ４の側面の全周を覆う円筒状の部材であっても良い。
【００３９】
カバー５を構成する素材と素材の性状は限定されない。カバー５は合成樹脂のような非金属材料で構成されても良いし、金属材料や複合材料で構成されても良い。カバー５は透明材料で構成されても良いし、不透明材料で構成されても良い。
【００４０】
本発明は、ディスポーザを備えるシンク台、及びディスポーザを備えるシンク台に取り付けられるカバーに好適に利用することができる。
【符号の説明】
【００４１】
１    シンク台
２    キャビネット
３    シンク
３ａ  排水孔
４    ディスポーザ
４ａ  ディスポーザ本体
４ｂ  フランジナット
４ｃ  シンクフランジ
４ｄ  排出管
４ｅ  電源ケーブル
５    カバー
５ａ  カバー本体
５ｂ  サポート部材
５ｃ  底板部
５ｄ  囲壁部
５ｅ  開口
５ｆ  挿通孔
５ｇ  ネジ
５ｈ  水抜き孔
５ｉ  側壁部
５ｊ  水受け部
５ｋ  底板
５ｌ  堰状部
６    排水管
７    引き出し
【図１】
2019010600.tif 000003
【図２】
2019010600.tif 000004
【図３】
2019010600.tif 000005
【図４】
2019010600.tif 000006